(57)【要約】【課題】構成簡単であり、低コストとなる屋内鯉のぼり翩翻装置を得る。【解決手段】屋内鯉のぼり翩翻装置１は、第１伝動機構９を、電動モータ８の出力軸８Ａに固着した第１スプロケットホイール１４、中心軸６に固着した第２スプロケットホイール１５、これらスプロケットホイールの双方に巻き掛けたチェーン１６により構成し、第２伝動機構１０を、第１スプロケットホイール１４に突設した偏心ピン１７に転動可能に設けたローラ１８、中間軸７から半径方向に突出し、ローラ１８を転動案内可能に挟み込む案内アーム手段１９により構成し、第３伝動機構１１を、中心軸６に固着したウォーム２０、中心軸６に直交するよう回転自在に取り付けた水平軸２１に固着してウォーム２０に噛合するウォームホイール２２により構成し、ウォームホイール２２に偏心させて設けたロープ連結部２３にロープ１２を連結する。【選択図】図１
2008029439.tif 000002
【特許請求の範囲】
【請求項１】
鯉のぼりを屋内で擬似的に翻させる屋内鯉のぼり翩翻装置であって、
底部ハウジング内に設けた電動モータ、ならびにこの電動モータの回転駆動力を伝達する第１伝動機構、第２伝動機構および第３伝動機構と、
前記底部ハウジングに支持した円筒形の支柱内で同軸状に配置しかつ前記第１伝動機構により回転可能に支持した中心軸と、
前記支柱と前記中心軸との間に同軸状に配置しかつ前記第２伝動機構により制限角度範囲内で首振り運動するよう支持した中間軸と、
この中間軸に直交するよう突設して前記支柱に貫通する１対の水平軸の周りに回動自在に取り付けたヨーク手段と、
このヨーク手段に着脱自在に取り付け、前記第３伝動機構、ならびに滑車に巻き掛けたロープ手段を介して一定のストロークで上下動する各種の鯉のぼりと、
前記中心軸の先端に設けたベベルギヤ手段を介して水平軸線の周りに回転する矢車と
を備えた該屋内鯉のぼり翩翻装置において、
前記第１伝動機構を、前記電動モータの出力軸に固着した第１スプロケットホイールと、前記中心軸に固着した第２スプロケットホイールと、これら第１および第２のスプロケットホイールの双方に巻き掛けたチェーンとにより構成し、
前記第２伝動機構を、前記第１スプロケットホイールに突設した偏心ピンに転動可能に設けたローラと、前記中間軸に固着し、この中間軸から半径方向に突出し、前記ローラを転動案内可能に挟み込む案内アーム手段とにより構成し、
前記第３伝動機構を、前記中心軸に固着したウォームと、前記中心軸に直交するよう前記底部ハウジングに回転自在に取り付けた水平軸に固着して前記ウォームに噛合するウォームホイールとにより構成し、ロープ手段は、前記ロープの一方の端部を連結するため前記このウォームホイールに偏心させて設けたロープ連結部を有するものとした
ことを特徴とする屋内鯉のぼり翩翻装置。
【請求項２】
前記ベベルギヤ手段における前記中心軸の端部に連結するベベル歯車を、前記中心軸に対して軸線方向の摺動可能であるが、相対回転不能に設けたスリーブの端部に固着し、平素は前記スリーブを矢車支持軸側のベベル歯車に噛合するようばね偏倚させ、軸受手段を介して前記支柱に対して回転可能に支持した請求項１記載の屋内鯉のぼり翩翻装置。
【請求項３】
前記各種の鯉のぼりを、各鯉のぼりの輪郭にほぼ対応する形状に形成した可撓性の平坦シート、およびこの平坦シートに部分的に取り付けて鯉のぼりに膨らみを付ける軽量の膨出材からなる芯材と、この芯材の周りに芯材を包囲するよう取り付けたのぼりと、こののぼりの口先に設けて前記ヨーク手段にワンタッチで着脱自在に掛合させるフック手段とにより構成した請求項１または２に記載の屋内鯉のぼり翩翻装置。
【発明の詳細な説明】
【技術分野】
【０００１】
本発明は、鯉のぼりを屋内で擬似的に翻させる屋内鯉のぼり翩翻装置であって、底部ハウジング内に設けた電動モータ、ならびにこの電動モータの回転駆動力を伝達する第１伝動機構、第２伝動機構および第３伝動機構と、前記底部ハウジングに支持した円筒形の支柱内で同軸状に配置しかつ前記第１伝動機構により回転可能に支持した中心軸と、前記支柱と前記中心軸との間に同軸状に配置しかつ前記第２伝動機構により制限角度範囲内で首振り運動するよう支持した中間軸と、この中間軸に直交するよう突設して前記支柱に貫通する１対の水平軸の周りに回動自在に取り付けたヨーク手段と、このヨーク手段に着脱自在に取り付け、前記第３伝動機構、ならびに滑車に巻き掛けたロープ手段を介して一定のストロークで上下動する各種の鯉のぼりと、前記中心軸の先端に設けたベベルギヤ手段を介して水平軸線の周りに回転する矢車とを備えた該屋内鯉のぼり翩翻装置に関するものである。
【背景技術】
【０００２】
このような屋内鯉のぼり翩翻装置としては、本願人による先願発明であり特許文献１に記載したものがある。
【特許文献１】特開平１１‐３１８６８７号公報
【発明の開示】
【発明が解決しようとする課題】
【０００３】
しかし、本願人による先願発明である特許文献１に記載の「空中浮動体装置」と称した屋内鯉のぼり翩翻装置は、電動モータの出力軸の他に、中心軸を駆動するギヤ段の他に、ロープ手段を駆動するためのウォームを支持する他の垂直軸を必要としていた。
また、電動モータの出力軸に設けたギヤにより、中心軸に設けたギヤおよびウォーム支持垂直軸に設けたギヤの双方を直接駆動するため、大きい出力のモータを必要とし、また矢車の回転が速すぎてせわしなく、優雅さに欠け、危険でもあった。
【０００４】
したがって、本発明の目的は、構成簡単であり、小さい出力のモータを使用することができ、低コストにすることができ、かつ矢車を低速かつ安全に回転させることができる屋内鯉のぼり翩翻装置を得るにある。
【課題を解決するための手段】
【０００５】
この目的を達成するため、本発明屋内鯉のぼり翩翻装置は、
前記第１伝動機構を、前記電動モータの出力軸に固着した第１スプロケットホイールと、前記中心軸に固着した第２スプロケットホイールと、これら第１および第２のスプロケットホイールの双方に巻き掛けたチェーンとにより構成し、
前記第２伝動機構を、前記第１スプロケットホイールに突設した偏心ピンに転動可能に設けたローラと、前記中間軸に固着し、この中間軸から半径方向に突出し、前記ローラを転動案内可能に挟み込む案内アーム手段とにより構成し、
前記第３伝動機構を、前記中心軸に固着したウォームと、前記中心軸に直交するよう前記底部ハウジングに回転自在に取り付けた水平軸に固着して前記ウォームに噛合するウォームホイールとにより構成し、ロープ手段は、前記ロープの一方の端部を連結するため前記このウォームホイールに偏心させて設けたロープ連結部を有するものとした
ことを特徴とする。
【発明の効果】
【０００６】
本発明屋内鯉のぼり翩翻装置によれば、第１伝動機構および第２伝動機構を中心軸のみに関連させ、また、スプロケットホイールおよびチェーン駆動であるため、構成簡単であり、小さい出力のモータを使用することができ、低コストにすることができ、かつ矢車を低速かつ安全に回転させることができる。
【発明を実施するための最良の形態】
【０００７】
本発明屋内鯉のぼり翩翻装置の好適な実施例においては、ベベルギヤ手段における前記中心軸の端部に連結するベベル歯車を、中心軸に対して軸線方向の摺動可能であるが、相対回転不能に設けたスリーブの端部に固着し、平素はスリーブを矢車支持軸側のベベル歯車に噛合するようばね偏倚させ、軸受手段を介して前記支柱に対して回転可能に支持する。この実施例によれば、子供が矢車に触れても、互いに噛合するベベル歯車が離脱して駆動力伝達が途切れ、モータに負荷をかけることなく矢車が安全に停止し、ケガを防止することができる。
【０００８】
さらに、本発明屋内鯉のぼり翩翻装置の好適な実施例においては、各種の鯉のぼりを、各鯉のぼりの輪郭にほぼ対応する形状に形成した可撓性の平坦シート、およびこの平坦シートに部分的に取り付けて鯉のぼりに膨らみを付ける軽量の膨出材からなる芯材と、この芯材の周りに芯材を包囲するよう取り付けたのぼりと、こののぼりの口先に設けて前記ヨーク手段にワンタッチで着脱自在に掛合させるフック手段とにより構成する。この実施例によれば、構成および組立が簡単であり、低コストとなる。
【０００９】
つぎに、図面につき、本発明の好適な実施例を説明する。
【実施例１】
【００１０】
図１に、本発明による屋内鯉のぼり翩翻装置１の線図的斜視図を示す。本発明による屋内鯉のぼり翩翻装置１は、底部ハウジング２と、この底部ハウジング２に支持した円筒形の支柱３と、この支柱３に支持する鯉のぼり４Ａ、４Ｂと、矢車５を有する。
【００１１】
支柱３内には、図２に示すように、この支柱３に同軸状に配置した中心軸６、および支柱３と中心軸６との中間に配置した中間軸７を収容する。また、底部ハウジング２内には、図２に示すように、電動モータ８、ならびにこの電動モータの回転駆動力を伝達する第１伝動機構９、第２伝動機構１０および第３伝動機構１１を収容する。
【００１２】
図１および２に示すように、底部ハウジング２には、支柱３を安定的に支持し、中心軸６および中間軸７、ならびにロープ手段のロープ１２が貫通する支柱支え台２Ａを設けた天板１３を設ける。
【００１３】
本発明の屋内鯉のぼり翩翻装置１によれば、第１伝動機構９を、電動モータ８の出力軸８Ａに固着した第１スプロケットホイール１４と、中心軸６に固着した第２スプロケットホイール１５と、これら第１および第２のスプロケットホイールの双方に巻き掛けたチェーン１６とにより構成する。
【００１４】
また、第２伝動機構１０を、第１スプロケットホイール１４に突設した偏心ピン１７に転動可能に設けたローラ１８と、中間軸７に固着し、この中間軸７から半径方向に突出し、ローラ１８を転動案内可能に挟み込む案内アーム手段１９とにより構成する。
【００１５】
さらに、第３伝動機構１１を、中心軸６に固着したウォーム２０と、中心軸６に直交するよう底部ハウジング２に回転自在に取り付けた水平軸２１に固着してウォーム２０に噛合するウォームホイール２２とにより構成し、ロープ手段は、ロープ１２の一方の端部を連結するためこのウォームホイール２２に偏心させて設けたロープ連結部２３を有するものとして構成する。
【００１６】
さらにまた、矢車５を支持する水平軸２４の周りに矢車５を回転させるベベルギヤ手段における中心軸６の端部に連結するベベル歯車を、図示はしないが、中心軸６に対して軸線方向の摺動可能であるが、相対回転不能に設けたスリーブの端部に固着し、平素はスリーブを矢車支持水平軸側のベベル歯車に噛合するようばね偏倚させ、軸受手段を介して支柱３に対して回転可能に支持する。この構成により、子供が矢車に触れても、互いに噛合するベベル歯車が離脱して駆動力伝達が途切れ、モータに負荷をかけることなく矢車が安全に停止し、ケガを防止することができる。
【００１７】
矢車支持水平軸の軸受スリーブを支持する支持部２５は、ロープ１２を巻き掛ける滑車手段２６を支持するよう構成する。
【００１８】
本発明の屋内鯉のぼり翩翻装置１によれば、各種の鯉のぼり４Ａ，４Ｂを、図３に示すように、各鯉のぼりの輪郭にほぼ対応する形状に形成した可撓性の平坦シート２７Ａ、およびこの平坦シートに部分的に取り付けて鯉のぼりに膨らみを付けるための発泡材による軽量の膨出材２７Ｂからなる芯材２７と、この芯材２７の周りに芯材を包囲するよう取り付けたのぼり４Ａまたは４Ｂと、こののぼりの口先に設け、中間軸７の上方に設けたヨーク手段２８にワンタッチで着脱自在に掛合させるフック手段２９とにより構成する。
図３Ｅの（ｅ′）に示すように、鯉のぼりが左右に振れて湾曲したとき、湾曲の外側と内側とでは長さに大きな差が出る。したがって、芯材背びれ部分２７Ｃと鯉のぼりの背びれの布地部分を接着し、他の部分は接着せず、フリーにしておく。これにより、長さの差を解消し、左右の振れを阻害しないようにする。
【００１９】
ヨーク手段２８は、図４に示すように、中間軸７に直交するよう突設して支柱３に貫通し、直径方向に互いに対向する１対の水平軸２８Ａと、この水平軸２８Ａの周りに回動自在に取り付けたコの字状のヨーク２８Ｂと、ロープ１２を連結するロープ連結部２８Ｃとにより構成する。
【００２０】
フック手段２９は、図４および図５に示すように、口元リング３０と、フック基部３１と、この鯉口元リング３０およびフック基部３１を相互連結するカーボンロッド３２と、フック基部３１に対してスペーサ部材３３を介して連結したフック部材３４とにより構成する。
【００２１】
本発明屋内鯉のぼり翩翻装置１によれば、モータ８をスイッチオンすると、モータ出力軸８Ａの回転を、第１伝動機構９のチェーン１６、第１スプロケットホイール１４および第２スプロケットホイール１５を介して中心軸６を回転駆動する。中心軸６のこの回転によって、図示しないベベルギヤ手段を介して矢車５を回転するとともに、第３伝動機構１１のウォーム２０およびウォームホイール２２を介して、滑車手段２６に巻き掛けたロープ１２を上下動させ、支柱に回動自在に取り付けたヨーク手段２８を上下動させ、したがって、このヨーク手段２８にフック連結した鯉のぼり４Ａ，４Ｂをゆったりと上下動させる。さらに、中間軸７は第２伝動手段１０によって、垂直軸線の周りに一定角度範囲内で揺動し、中間軸に取り付けたヨーク手段２８も揺動し、ヨーク手段２８にフック手段２９を介してフック連結した鯉のぼり４Ａ，４Ｂは左右にゆったりと往復運動する。したがって、鯉のぼり４Ａ，４Ｂは、屋内でも風力を必要としないで、翩翻と翻ることができる。
【産業上の利用可能性】
【００２２】
本発明屋内鯉のぼり翩翻装置は、五月の節句の頃に、庭のない家庭での鑑賞用、店舗におけるディスプレイ用に利用できる。
【図面の簡単な説明】
【００２３】
【図１】本発明による屋内鯉のぼり翩翻装置１の線図的斜視図である。
【図２】本発明屋内鯉のぼり翩翻装置の伝動機構を示す一部断面とする側面図である。
【図３】本発明屋内鯉のぼり翩翻装置の鯉のぼりの芯材を示す一部断面とする説明図であり、（ａ）は側面から、（ｂ）は９０°回転した側面から、（ｃ）は（ａ）における口元部分における横断面、（ｄ）は（ｂ）における口元部分における横断面である。
【図３Ｅ】本発明屋内鯉のぼり翩翻装置の鯉のぼりの芯材の全体を示す説明図であり、（ｅ）は芯材が真っ直ぐな状態、（ｅ′）は芯材が湾曲した状態を示す説明図である。
【図４】本発明屋内鯉のぼり翩翻装置の鯉のぼりを取り付けるヨーク手段およびフック手段をしめす線図的説明図である。
【図５】本発明屋内鯉のぼり翩翻装置の鯉のぼりの口元部分におけるフック手段を構成する各部材の正面図である。
【符号の説明】
【００２４】
１  屋内鯉のぼり翩翻装置
２  底部ハウジング２
２Ａ  支柱支え台
３  支柱
４Ａ  鯉のぼり
４Ｂ  鯉のぼり
５  矢車
６  中心軸
７  中間軸
８  電動モータ
９  第１伝動機構
１０  第２伝動機構
１１  第３伝動機構
１２  ロープ
１３  天板
１４  第１スプロケットホイール
１５  第２スプロケットホイール
１６  チェーン
１７  偏心ピン
１８  ローラ
１９  案内アーム手段
２０  ウォーム
２１  水平軸
２２  ウォームホイール
２３  ロープ連結部
２４  水平軸
２５  支持部
２６  滑車手段
２７  芯材
２７Ａ  平坦シート
２７Ｂ  膨出材
２７Ｃ  芯材背びれ部分
２８  ヨーク手段
２８Ａ  水平軸
２８Ｂ  ヨーク
２８Ｃ  ロープ連結部
２９  フック手段
３０  口元リング
３１  フック基部
３２  カーボンロッド
３４  フック部材
【図１】
2008029439.tif 000003
【図２】
2008029439.tif 000004
【図３】
2008029439.tif 000005
【図３Ｅ】
2008029439.tif 000006
【図４】
2008029439.tif 000007
【図５】
2008029439.tif 000008